(57)【要約】【課題】昇圧チョッパ回路を有する力率改善回路において、入力電圧のゼロクロス付近での波形歪の発生を抑制する。【解決手段】スイッチング電源ＡＡは、力率改善回路３と、力率改善回路３に設けられたスイッチ素子Ｑ１をスイッチング制御する制御回路１と、を備える。制御回路１は、力率改善回路３の入力電圧および出力電圧と、スイッチ素子Ｑ１に流れる電流と、に基づいてスイッチ素子Ｑ１のスイッチングを制御する。また、制御回路１は、スイッチ素子Ｑ１に流れる電流が閾値未満であれば、このスイッチ素子Ｑ１がオン状態からオフ状態に切り替わるのを禁止する。【選択図】図１
2016100958.tif 000002
【特許請求の範囲】
【請求項１】
力率改善回路が有する昇圧チョッパ回路に設けられたスイッチ素子をスイッチング制御する制御回路であって、
前記力率改善回路の入力電圧および出力電圧と、前記スイッチ素子に流れる電流と、に基づいて当該スイッチ素子をオン状態からオフ状態に切り替える力率改善制御回路を備え、
前記力率改善制御回路により、前記スイッチ素子に流れる電流が予め定められた閾値未満であれば、当該スイッチ素子がオン状態からオフ状態に切り替わるのを禁止することを特徴とする制御回路。
【請求項２】
力率改善回路が有する昇圧チョッパ回路に設けられたスイッチ素子をスイッチング制御する制御回路であって、
前記力率改善回路の出力電圧に基づいて当該スイッチ素子のオン幅を制御して、当該スイッチ素子をオン状態からオフ状態に切り替える力率改善制御回路を備え、
前記力率改善制御回路により、前記スイッチ素子に流れる電流が予め定められた閾値未満であれば、当該スイッチ素子がオン状態からオフ状態に切り替わるのを禁止することを特徴とする制御回路。
【請求項３】
前記力率改善回路の出力電圧に応じて前記閾値を補正することを特徴とする請求項１または２に記載の制御回路。
【請求項４】
前記力率改善回路の入力電圧に応じて前記閾値を補正することを特徴とする請求項１から３のいずれかに記載の制御回路。
【請求項５】
前記スイッチ素子に流れる電流に応じて正比例で変化する電圧が第１の抵抗を介して入力される第１の入力端子と、前記閾値に応じた電圧が入力される第２の入力端子と、を有し、当該第１の入力端子の電圧と当該第２の入力端子の電圧とを比較して、当該スイッチ素子に流れる電流が当該閾値以上であるか否かを判別する比較手段を備え、
前記第１の抵抗と前記第１の入力端子との接続点に一端が接続され、基準電位点に他端が接続された第２の抵抗が、前記制御回路の外部に設けられることを特徴とする請求項１から４のいずれかに記載の制御回路。
【請求項６】
前記スイッチ素子のオン幅が予め定められた所定幅以上になると、当該スイッチ素子をオン状態からオフ状態に切り替えることを特徴とする請求項１から５のいずれかに記載の制御回路。
【発明の詳細な説明】
【技術分野】
【０００１】
本発明は、スイッチ素子をスイッチング制御する制御回路に関する。
【背景技術】
【０００２】
従来、スイッチング電源には、力率を改善するために力率改善回路が設けられており、この力率改善回路には、高調波電流対策として昇圧チョッパ回路が用いられることがある（例えば、特許文献１参照）。特許文献１に示されている力率改善回路は、力率の改善を、入力電圧の位相情報を高精度に検出することで実現しようとしている。
【先行技術文献】
【特許文献】
【０００３】
【特許文献１】特開２０１３−２４３７９８号公報
【発明の概要】
【発明が解決しようとする課題】
【０００４】
高入力電圧または軽負荷な状態では、入力電圧のゼロクロス付近において、昇圧チョッパ回路に設けられたスイッチ素子に流れる電流が、小さくなる。このため、入力電圧のゼロクロス付近では、昇圧チョッパ回路に設けられたスイッチ素子の寄生容量と、昇圧チョッパ回路に設けられたインダクタと、による共振により、入力コンデンサが放電されなくなる。入力コンデンサが放電されなくなると、入力コンデンサの両端電圧が入力電圧よりも高くなり、入力電流が流れなくなってしまうので、波形歪が発生してしまうおそれがあった。
【０００５】
上述の課題に鑑み、本発明は、昇圧チョッパ回路を有する力率改善回路において、入力電圧のゼロクロス付近での波形歪の発生を抑制することを目的とする。
【課題を解決するための手段】
【０００６】
本発明は、上述の課題を解決するために、以下の事項を提案している。
（１）  本発明は、力率改善回路（例えば、図１の力率改善回路３に相当）が有する昇圧チョッパ回路に設けられたスイッチ素子（例えば、図１のスイッチ素子Ｑ１に相当）をスイッチング制御する制御回路（例えば、図１の制御回路１に相当）であって、前記力率改善回路の入力電圧および出力電圧と、前記スイッチ素子に流れる電流と、に基づいて当該スイッチ素子をオン状態からオフ状態に切り替える力率改善制御回路（例えば、図２の力率改善制御回路１０に相当）を備え、前記力率改善制御回路により、前記スイッチ素子に流れる電流が予め定められた閾値未満であれば、当該スイッチ素子がオン状態からオフ状態に切り替わるのを禁止することを特徴とする制御回路を提案している。
【０００７】
この発明によれば、力率改善制御回路により、スイッチ素子に流れる電流が閾値未満であれば、このスイッチ素子がオン状態からオフ状態に切り替わるのを禁止することとした。このため、スイッチ素子に流れるピーク電流の下限値を、閾値により設定することができる。したがって、入力電圧のゼロクロス付近において、入力コンデンサを放電することができるので、入力電流を流すことができる。よって、昇圧チョッパ回路を有する力率改善回路において、入力電圧のゼロクロス付近での波形歪の発生を抑制することができる。
【０００８】
（２）  本発明は、力率改善回路（例えば、図３の力率改善回路３Ａに相当）が有する昇圧チョッパ回路に設けられたスイッチ素子（例えば、図３のスイッチ素子Ｑ１に相当）をスイッチング制御する制御回路（例えば、図３の制御回路１Ａに相当）であって、前記力率改善回路の出力電圧に基づいて当該スイッチ素子のオン幅を制御して、当該スイッチ素子をオン状態からオフ状態に切り替える力率改善制御回路（例えば、図４の力率改善制御回路１０Ａに相当）を備え、前記力率改善制御回路により、前記スイッチ素子に流れる電流が予め定められた閾値未満であれば、当該スイッチ素子がオン状態からオフ状態に切り替わるのを禁止することを特徴とする制御回路を提案している。
【０００９】
この発明によれば、力率改善制御回路により、スイッチ素子に流れる電流が閾値未満であれば、このスイッチ素子がオン状態からオフ状態に切り替わるのを禁止することとした。このため、スイッチ素子に流れるピーク電流の下限値を、閾値により設定することができる。したがって、入力電圧のゼロクロス付近において、入力コンデンサを放電することができるので、入力電流を流すことができる。よって、昇圧チョッパ回路を有する力率改善回路において、入力電圧のゼロクロス付近での波形歪の発生を抑制することができる。
【００１０】
（３）  本発明は、（１）または（２）の制御回路について、前記力率改善回路の出力電圧に応じて前記閾値を補正することを特徴とする制御回路を提案している。
【００１１】
この発明によれば、（１）または（２）の制御回路において、スイッチ素子がオン状態からオフ状態に切り替わるのを禁止するか否かを決定するためにスイッチ素子に流れる電流と比較する閾値を、力率改善回路の出力電圧に応じて補正することができる。
【００１２】
（４）  本発明は、（１）から（３）のいずれかの制御回路について、前記力率改善回路の入力電圧に応じて前記閾値を補正することを特徴とする制御回路を提案している。
【００１３】
この発明によれば、（１）から（３）のいずれかの制御回路において、スイッチ素子がオン状態からオフ状態に切り替わるのを禁止するか否かを決定するためにスイッチ素子に流れる電流と比較する閾値を、力率改善回路の入力電圧に応じて補正することができる。
【００１４】
（５）  本発明は、（１）から（４）のいずれかの制御回路について、前記スイッチ素子に流れる電流に応じて正比例で変化する電圧が第１の抵抗（例えば、図１３の抵抗Ｒ７に相当）を介して入力される第１の入力端子（例えば、図２の比較器ＣＭＰ２の非反転入力端子に相当）と、前記閾値に応じた電圧が入力される第２の入力端子（例えば、図２の比較器ＣＭＰ２の反転入力端子に相当）と、を有し、当該第１の入力端子の電圧と当該第２の入力端子の電圧とを比較して、当該スイッチ素子に流れる電流が当該閾値以上であるか否かを判別する比較手段（例えば、図２の比較器ＣＭＰ２に相当）を備え、前記第１の抵抗と前記第１の入力端子との接続点に一端が接続され、基準電位点に他端が接続された第２の抵抗（例えば、図１３の抵抗Ｒ９に相当）が、前記制御回路の外部に設けられることを特徴とする制御回路を提案している。
【００１５】
この発明によれば、（１）から（４）のいずれかの制御回路において、第１の入力端子および第２の入力端子を有する比較手段を設け、第１の入力端子に、スイッチ素子に流れる電流に応じて正比例で変化する電圧が第１の抵抗を介して入力され、第２の入力端子に、上述の閾値に応じた電圧が入力されることとした。また、第２の抵抗を制御回路の外部に設け、第２の抵抗の一端を第１の抵抗と第１の入力端子との接続点に接続し、第２の抵抗の他端を基準電位点に接続することとした。このため、第１の入力端子に入力される電圧は、第１の抵抗と第２の抵抗との抵抗比や基準電位点の電圧に応じて変化するので、制御回路の外部に設けられた第２の抵抗の抵抗値を調節することで、第１の入力端子に入力される電圧を補正することができる。したがって、制御回路がＩＣ（Integrated  Circuit）化されていても、この制御回路に端子を新たに追加することなく、スイッチ素子に流れる電流に応じて正比例で変化する電圧を、補正することができる。
【００１６】
（６）  本発明は、（１）から（５）のいずれかの制御回路について、前記スイッチ素子のオン幅が予め定められた所定幅以上になると、当該スイッチ素子をオン状態からオフ状態に切り替えることを特徴とする制御回路を提案している。
【００１７】
ここで、スイッチ素子に流れる電流が閾値未満である期間において、このスイッチ素子がオン状態からオフ状態に切り替わるのを禁止して、スイッチ素子に閾値以上の電流を流そうとしていると、入力電圧のまさにゼロ電圧近傍（ゼロクロス付近）では、スイッチ素子のオン幅が広くなりすぎてしまい、波形歪が発生してしまうおそれがある。そこで、この発明によれば、（１）から（５）のいずれかの制御回路において、スイッチ素子のオン幅が予め定められた所定幅以上になると、このスイッチ素子をオン状態からオフ状態に切り替えることとした。このため、スイッチ素子のオン幅が広くなりすぎるのを防止して、波形歪の発生をさらに抑制することができる。
【発明の効果】
【００１８】
本発明によれば、昇圧チョッパ回路を有する力率改善回路において、入力電圧のゼロクロス付近での波形歪の発生を抑制することができる。
【図面の簡単な説明】
【００１９】
【図１】本発明の第１実施形態に係るスイッチング電源の回路図である。
【図２】本発明の第１実施形態に係るスイッチング電源に設けられた制御回路の回路図である。
【図３】本発明の第２実施形態に係るスイッチング電源の回路図である。
【図４】本発明の第２実施形態に係るスイッチング電源に設けられた制御回路の回路図である。
【図５】本発明の第３実施形態に係るスイッチング電源の回路図である。
【図６】本発明の第３実施形態に係るスイッチング電源に設けられた制御回路の回路図である。
【図７】本発明の第４実施形態に係るスイッチング電源の回路図である。
【図８】本発明の第４実施形態に係るスイッチング電源に設けられた制御回路の回路図である。
【図９】本発明の第５実施形態に係るスイッチング電源の回路図である。
【図１０】本発明の第５実施形態に係るスイッチング電源に設けられた制御回路の回路図である。
【図１１】本発明の第６実施形態に係るスイッチング電源の回路図である。
【図１２】本発明の第６実施形態に係るスイッチング電源に設けられた制御回路の回路図である。
【図１３】本発明の第７実施形態に係るスイッチング電源の回路図である。
【図１４】本発明の第８実施形態に係るスイッチング電源の回路図である。
【発明を実施するための形態】
【００２０】
以下、本発明の実施形態について図面を参照しながら説明する。なお、以下の実施形態における構成要素は適宜、既存の構成要素などとの置き換えが可能であり、また、他の既存の構成要素との組合せを含む様々なバリエーションが可能である。したがって、以下の実施形態の記載をもって、特許請求の範囲に記載された発明の内容を限定するものではない。
【００２１】
＜第１実施形態＞
［スイッチング電源ＡＡの構成］
図１は、本発明の第１実施形態に係るスイッチング電源ＡＡの回路図である。スイッチング電源ＡＡは、交流電源Ｖｉｎから入力された入力電圧を変換制御して、出力端子ＯＵＴ１、ＧＮＤ１の間から出力するものであり、制御回路１、整流回路２、および力率改善回路３を備える。
【００２２】
整流回路２は、交流電源Ｖｉｎから入力された入力電圧を全波整流して、第１の出力端子ＯＵＴ２および第２の出力端子ＯＵＴ３の間から出力する。
【００２３】
力率改善回路３は、抵抗Ｒ１、Ｒ２、Ｒ３、Ｒ４、Ｒ５、Ｒ６、Ｒ７、Ｒ８と、キャパシタＣ１、Ｃ２、Ｃ３、Ｃ４、Ｃ５と、ＮチャネルＭＯＳＦＥＴで構成されるスイッチ素子Ｑ１と、ダイオードＤ１と、インダクタＬ１と、インダクタＬ１と磁気結合する制御巻線Ｌ２と、を備え、いわゆる昇圧チョッパ回路を構成する。
【００２４】
整流回路２の第１の出力端子ＯＵＴ２と第２の出力端子ＯＵＴ３とは、抵抗Ｒ１、Ｒ２を直列接続したものを介して接続されるとともに、入力コンデンサとしてのキャパシタＣ１を介して接続される。抵抗Ｒ１と抵抗Ｒ２との接続点には、制御回路１の端子Ｐ１が接続される。
【００２５】
整流回路２の第２の出力端子ＯＵＴ３には、出力端子ＧＮＤ１が接続される。整流回路２の第１の出力端子ＯＵＴ２には、インダクタＬ１の一端が接続され、インダクタＬ１の他端には、スイッチ素子Ｑ１のドレインと、ダイオードＤ１のアノードと、が接続される。スイッチ素子Ｑ１のソースには、抵抗Ｒ３を介して整流回路２の第２の出力端子ＯＵＴ３が接続されるとともに、抵抗Ｒ７の一端が接続される。抵抗Ｒ７の他端には、制御回路１の端子Ｐ３が接続されるとともに、キャパシタＣ４を介して基準電位源ＧＮＤが接続される。スイッチ素子Ｑ１のドレインとソースとは、キャパシタＣ２を介して接続され、スイッチ素子Ｑ１のゲートには、抵抗Ｒ６を介して制御回路１の端子Ｐ２が接続される。なお、キャパシタＣ２としては、スイッチ素子Ｑ１の寄生容量を想定しているが、スイッチ素子Ｑ１の寄生容量と、ノイズ対策に用いられるキャパシタと、の合計容量であってもよい。
【００２６】
ダイオードＤ１のカソードには、出力端子ＯＵＴ１が接続される。出力端子ＯＵＴ１と出力端子ＧＮＤ１とは、キャパシタＣ３を介して接続されるとともに、抵抗Ｒ４、Ｒ５を直列接続したものを介して接続される。抵抗Ｒ４と抵抗Ｒ５との接続点には、制御回路１の端子Ｐ５が接続される。
【００２７】
制御巻線Ｌ２の一端には、基準電位源ＧＮＤが接続される。制御巻線Ｌ２の他端には、抵抗Ｒ８を介して制御回路１の端子Ｐ４が接続される。
【００２８】
制御回路１の端子Ｐ６には、キャパシタＣ５を介して基準電位源ＧＮＤが接続される。
【００２９】
以上の構成を備えるスイッチング電源ＡＡは、制御回路１の端子Ｐ２からスイッチング制御信号を出力させ、このスイッチング制御信号によりスイッチ素子Ｑ１をスイッチング制御して、スイッチング電源ＡＡの力率の改善を行う。
【００３０】
図２は、制御回路１の回路図である。制御回路１は、力率改善制御回路１０、オントリガ生成部２０、リスタート部３０、および論理和ＯＲ１を備える。力率改善制御回路１０は、マルチプライヤ１１を備えるとともに、エラーアンプＥＡ１と、比較器ＣＭＰ１、ＣＭＰ２と、論理積ＡＮＤ１と、バッファＢＵＦ１と、フリップフロップＦＦ１と、直流電源Ｖｒｅｆ１、Ｖｒｅｆ２と、を備える。
【００３１】
端子Ｐ５には、エラーアンプＥＡ１の非反転入力端子が接続される。エラーアンプＥＡ１の反転入力端子には、直流電源Ｖｒｅｆ１の正極が接続され、直流電源Ｖｒｅｆ１の負極には、基準電位源ＧＮＤが接続される。エラーアンプＥＡ１の出力端子には、端子Ｐ６およびマルチプライヤ１１が接続される。
【００３２】
エラーアンプＥＡ１の非反転入力端子には、端子Ｐ５を介して、力率改善回路３の出力電圧を抵抗Ｒ４、Ｒ５で分圧した電圧、すなわち力率改善回路３の出力電圧に応じた電圧が、入力される。このエラーアンプＥＡ１は、力率改善回路３の出力電圧をマルチプライヤ１１にフィードバックする。具体的には、力率改善回路３の出力電圧に応じた電圧と、直流電源Ｖｒｅｆ１の正極の電圧と、の誤差を増幅してマルチプライヤ１１にフィードバックする。
【００３３】
端子Ｐ１には、マルチプライヤ１１が接続される。このマルチプライヤ１１には、エラーアンプＥＡ１の出力端子が接続されるとともに、比較器ＣＭＰ１の反転入力端子が接続される。
【００３４】
マルチプライヤ１１には、エラーアンプＥＡ１の出力電圧が入力されるとともに、端子Ｐ１を介して、整流回路２の出力電圧を抵抗Ｒ１、Ｒ２で分圧した電圧、言い換えると力率改善回路３の入力電圧を抵抗Ｒ１、Ｒ２で分圧した電圧、すなわち力率改善回路３の入力電圧に応じた電圧が、入力される。このマルチプライヤ１１は、エラーアンプＥＡ１の出力電圧と、力率改善回路３の入力電圧に応じた電圧と、を乗算し、乗算結果を比較器ＣＭＰ１の反転入力端子に出力する。
【００３５】
端子Ｐ３には、比較器ＣＭＰ１の非反転入力端子と、比較器ＣＭＰ２の非反転入力端子と、が接続され、比較器ＣＭＰ２の反転入力端子には、直流電源Ｖｒｅｆ２の正極が接続され、直流電源Ｖｒｅｆ２の負極には、基準電位源ＧＮＤが接続される。比較器ＣＭＰ１の非反転入力端子と、比較器ＣＭＰ２の非反転入力端子と、には、端子Ｐ３および抵抗Ｒ７を介して、抵抗Ｒ３の両端電圧が入力される。ここで、抵抗Ｒ３の両端電圧は、スイッチ素子Ｑ１に流れた電流が抵抗Ｒ３を流れることによって、発生する。このため、比較器ＣＭＰ１の非反転入力端子と、比較器ＣＭＰ２の非反転入力端子と、には、スイッチ素子Ｑ１に流れた電流に応じた電圧が、入力されることになる。
【００３６】
比較器ＣＭＰ１は、スイッチ素子Ｑ１に流れた電流に応じた電圧を、マルチプライヤ１１の出力電圧と比較する。スイッチ素子Ｑ１に流れた電流に応じた電圧が、マルチプライヤ１１の出力電圧以上である場合には、Ｈレベル電圧を出力し、スイッチ素子Ｑ１に流れた電流に応じた電圧が、マルチプライヤ１１の出力電圧未満である場合には、Ｌレベル電圧を出力する。
【００３７】
比較器ＣＭＰ２は、スイッチ素子Ｑ１に流れた電流に応じた電圧を、直流電源Ｖｒｅｆ２の正極の電圧と比較する。スイッチ素子Ｑ１に流れた電流に応じた電圧が、直流電源Ｖｒｅｆ２の正極の電圧以上である場合には、Ｈレベル電圧を出力し、スイッチ素子Ｑ１に流れた電流に応じた電圧が、直流電源Ｖｒｅｆ２の正極の電圧未満である場合には、Ｌレベル電圧を出力する。
【００３８】
比較器ＣＭＰ１の出力端子には、論理積ＡＮＤ１の２つの入力端子のうち一方が接続され、比較器ＣＭＰ２の出力端子には、論理積ＡＮＤ１の２つの入力端子のうち他方が接続される。論理積ＡＮＤ１の出力端子には、フリップフロップＦＦ１のリセット端子が接続される。論理積ＡＮＤ１は、２つの入力端子の双方にＨレベル電圧が入力された場合には、フリップフロップＦＦ１のリセット端子にＨレベル電圧を出力して、フリップフロップＦＦ１をリセットする。一方、２つの入力端子のうち少なくともいずれかにＬレベル電圧が入力された場合には、フリップフロップＦＦ１のリセット端子にＬレベル電圧を出力する。
【００３９】
端子Ｐ２には、バッファＢＵＦ１の出力端子が接続される。バッファＢＵＦ１の入力端子には、フリップフロップＦＦ１の出力端子が接続されるとともに、リスタート部３０が接続される。
【００４０】
端子Ｐ４には、オントリガ生成部２０が接続される。オントリガ生成部２０には、リスタート部３０が接続されるとともに、論理和ＯＲ１の２つの入力端子のうち一方が接続される。論理和ＯＲ１の２つの入力端子のうち他方には、リスタート部３０が接続される。論理和ＯＲ１の出力端子には、フリップフロップＦＦ１のセット端子が接続される。
【００４１】
フリップフロップＦＦ１は、セット端子にＨレベル電圧が入力されると、リセット端子にＨレベル電圧が入力されるまで、出力端子からＨレベル電圧を出力し続ける。一方、フリップフロップＦＦ１は、リセット端子にＨレベル電圧が入力されると、リセット端子にＬレベル電圧が入力されるとともにセット端子にＨレベル電圧が入力されるまで、出力端子からＬレベル電圧を出力し続ける。フリップフロップＦＦ１がＨレベル電圧を出力している期間では、スイッチ素子Ｑ１がオン状態になり、フリップフロップＦＦ１がＬレベル電圧を出力している期間では、スイッチ素子がオフ状態になる。
【００４２】
オントリガ生成部２０には、端子Ｐ４および抵抗Ｒ８を介して、制御巻線Ｌ２に発生した電圧が入力される。
【００４３】
オントリガ生成部２０は、制御巻線Ｌ２に発生した電圧のネガティブエッジを検出すると、ワンショットパルスを出力する。具体的には、スイッチ素子Ｑ１がオン状態である期間に、インダクタＬ１にエネルギーが蓄積され、端子Ｐ４の電位がマイナスになる電圧が制御巻線Ｌ２に発生する。スイッチ素子Ｑ１がオフ状態になると、インダクタＬ１に蓄積されたエネルギーは、出力端子ＯＵＴ１側へ吐き出され、端子Ｐ４の電位がプラスになる電圧が制御巻線Ｌ２に発生する。出力端子ＯＵＴ１側へのエネルギーの吐き出しが終了すると、制御巻線Ｌ２に発生していた電圧が低下し始める。オントリガ生成部２０は、この電圧が低下し始めるタイミングを、上述のネガティブエッジを検出することで検知して、ワンショットパルスの出力によりスイッチ素子Ｑ１をオン状態にさせて臨界動作を実現する。
【００４４】
リスタート部３０は、オントリガ生成部２０からワンショットパルスが継続して出力されていない時間をカウントし、カウントした時間が予め定められた時間になるとＨレベル電圧を出力する。また、リスタート部３０は、フリップフロップＦＦ１の出力端子からＨレベル電圧が出力されると、Ｌレベル電圧を出力する。
【００４５】
なお、スイッチング電源ＡＡの起動時や、何らかの保護機能でスイッチ素子Ｑ１の発振が停止した後に発振を再開する際には、制御巻線Ｌ２に電圧が発生しておらず、オントリガ生成部２０が制御巻線Ｌ２に発生した電圧のネガティブエッジを検出できない場合が起こり得る。このような場合でも、リスタート部３０により、スイッチ素子Ｑ１の発振を開始させることができる。
【００４６】
以上の構成を備える制御回路１は、以下のように動作する。
【００４７】
まず、スイッチ素子がオフ状態からオン状態に切り替わる場合について、以下に説明する。フリップフロップＦＦ１のリセット端子にＬレベル電圧が入力されている期間において、論理和ＯＲ１からＨレベル電圧が出力されると、フリップフロップＦＦ１からＨレベル電圧が出力されて、スイッチ素子Ｑ１がオフ状態からオン状態に切り替わる。
【００４８】
論理和ＯＲ１は、オントリガ生成部２０およびリスタート部３０の双方がＬレベル電圧を出力している期間では、Ｌレベル電圧を出力し、オントリガ生成部２０およびリスタート部３０のうち少なくともいずれかがＨレベル電圧を出力している期間では、Ｈレベル電圧を出力する。
【００４９】
以上より、フリップフロップＦＦ１のリセット端子にＬレベル電圧が入力されている期間において、オントリガ生成部２０またはリスタート部３０がＨレベル電圧を出力すると、スイッチ素子がオフ状態からオン状態に切り替わる。
【００５０】
次に、スイッチ素子がオン状態からオフ状態に切り替わる場合について、以下に説明する。フリップフロップＦＦ１のリセット端子にＨレベル電圧が入力されると、フリップフロップＦＦ１からＬレベル電圧が出力されて、スイッチ素子Ｑ１がオン状態からオフ状態に切り替わる。
【００５１】
ここで、フリップフロップＦＦ１のリセット端子にＨレベル電圧が入力される条件は、論理積ＡＮＤ１がＨレベル電圧を出力すること、すなわち比較器ＣＭＰ１、ＣＭＰ２の双方がＨレベル電圧を出力することである。このため、比較器ＣＭＰ１、ＣＭＰ２のうち少なくともいずれかがＬレベル電圧を出力している期間では、フリップフロップＦＦ１がリセット状態にならない。
【００５２】
スイッチ素子Ｑ１に流れた電流に応じた電圧が、マルチプライヤ１１の出力電圧以上である期間では、比較器ＣＭＰ１がＨレベル電圧を出力する。また、スイッチ素子Ｑ１に流れた電流に応じた電圧が、マルチプライヤ１１の出力電圧未満である期間では、比較器ＣＭＰ１がＬレベル電圧を出力する。さらに、マルチプライヤ１１の出力電圧は、上述のように力率改善回路３の入力電圧および出力電圧に応じて変化する。このため、マルチプライヤ１１および比較器ＣＭＰ１により、力率改善回路３の入力電圧および出力電圧と、スイッチ素子Ｑ１に流れる電流と、に基づいて、スイッチ素子Ｑ１のスイッチングが制御される。
【００５３】
一方、スイッチ素子Ｑ１に流れた電流に応じた電圧が、直流電源Ｖｒｅｆ２の正極の電圧未満である期間では、比較器ＣＭＰ２がＬレベル電圧を出力する。このため、スイッチ素子Ｑ１に流れた電流に応じた電圧が、直流電源Ｖｒｅｆ２の正極の電圧未満である期間、すなわちスイッチ素子Ｑ１に流れた電流が、直流電源Ｖｒｅｆ２の正極の電圧に応じた閾値未満である期間では、論理積ＡＮＤ１の２つの入力端子のうち他方にＬレベル電圧が入力される。したがって、スイッチ素子Ｑ１に流れた電流が、直流電源Ｖｒｅｆ２の正極の電圧に応じた閾値未満である期間では、比較器ＣＭＰ１から出力される電圧にかかわらず、論理積ＡＮＤ１からＬレベル電圧が出力されることになる。よって、スイッチ素子Ｑ１に流れた電流が、直流電源Ｖｒｅｆ２の正極の電圧に応じた閾値未満である期間では、比較器ＣＭＰ１から出力される電圧にかかわらず、フリップフロップＦＦ１のリセット端子にＬレベル電圧が入力され、スイッチ素子Ｑ１がオン状態からオフ状態に切り替わるのが禁止されることになる。
【００５４】
以上の制御回路１によれば、以下の効果を奏することができる。
【００５５】
制御回路１は、力率改善制御回路１０に設けられた比較器ＣＭＰ２と直流電源Ｖｒｅｆ２と論理積ＡＮＤ１とにより、スイッチ素子Ｑ１に流れる電流が閾値未満であれば、このスイッチ素子Ｑ１がオン状態からオフ状態に切り替わるのを禁止する。このため、スイッチ素子Ｑ１に流れるピーク電流の下限値を、直流電源Ｖｒｅｆ２により定まる閾値により設定することができる。したがって、入力電圧のゼロクロス付近において、キャパシタＣ１を放電することができるので、入力電流を流すことができる。よって、昇圧チョッパ回路を有する力率改善回路３において、入力電圧のゼロクロス付近での波形歪の発生を抑制することができる。
【００５６】
＜第２実施形態＞
［スイッチング電源ＢＢの構成］
図３は、本発明の第２実施形態に係るスイッチング電源ＢＢの回路図である。スイッチング電源ＢＢは、図１に示した本発明の第１実施形態に係るスイッチング電源ＡＡとは、制御回路１の代わりに制御回路１Ａを備える点と、力率改善回路３の代わりに力率改善回路３Ａを備える点と、で異なる。スイッチング電源ＢＢにおいて、スイッチング電源ＡＡと同一の構成要件については、同一符号を付し、その説明を省略する。
【００５７】
力率改善回路３Ａは、図１の力率改善回路３とは、抵抗Ｒ１、Ｒ２を備えていない点で異なっており、制御回路１Ａは、端子Ｐ１を有していない。
【００５８】
以上の構成を備えるスイッチング電源ＢＢは、図１のスイッチング電源ＡＡと同様に、制御回路１Ａの端子Ｐ２からスイッチング制御信号を出力させ、このスイッチング制御信号によりスイッチ素子Ｑ１をスイッチング制御して、スイッチング電源ＢＢの力率の改善を行う。
【００５９】
図４は、制御回路１Ａの回路図である。制御回路１Ａは、図２に示した本発明の第１実施形態に係る制御回路１とは、力率改善制御回路１０の代わりに力率改善制御回路１０Ａを備える点と、端子Ｐ１を備えていない点と、で異なる。力率改善制御回路１０Ａは、力率改善制御回路１０とは、マルチプライヤ１１および比較器ＣＭＰ１の代わりにオン幅制御部１２を備える点で異なる。
【００６０】
オン幅制御部１２には、エラーアンプＥＡ１の出力端子と、フリップフロップＦＦ１の出力端子と、論理積ＡＮＤ１の２つの入力端子のうち一方と、が接続される。オン幅制御部１２は、フリップフロップＦＦ１の出力電圧がＨレベル電圧になってから、論理積ＡＮＤ１の２つの入力端子のうち一方にＨレベル信号を出力するまでの時間を、エラーアンプＥＡ１の出力電圧に応じて制御して、スイッチ素子Ｑ１のオン幅を制御する。
【００６１】
以上の構成を備える制御回路１Ａは、オン幅制御部１２により、エラーアンプＥＡ１の出力電圧に基づいて、すなわち力率改善回路３Ａの出力電圧に基づいて、スイッチ素子Ｑ１のオン幅を制御する。また、制御回路１Ａは、制御回路１と同様に、比較器ＣＭＰ２と直流電源Ｖｒｅｆ２と論理積ＡＮＤ１とにより、スイッチ素子Ｑ１に流れた電流が閾値未満である期間では、オン幅制御部１２から出力される電圧にかかわらず、フリップフロップＦＦ１のリセット端子にＬレベル電圧を入力して、スイッチ素子Ｑ１がオン状態からオフ状態に切り替わるのを禁止する。
【００６２】
以上の制御回路１Ａによれば、以下の効果を奏することができる。
【００６３】
制御回路１Ａは、力率改善制御回路１０Ａに設けられた比較器ＣＭＰ２と直流電源Ｖｒｅｆ２と論理積ＡＮＤ１とにより、スイッチ素子Ｑ１に流れる電流が閾値未満であれば、このスイッチ素子Ｑ１がオン状態からオフ状態に切り替わるのを禁止する。このため、スイッチ素子Ｑ１に流れるピーク電流の下限値を、直流電源Ｖｒｅｆ２により定まる閾値により設定することができる。したがって、入力電圧のゼロクロス付近において、キャパシタＣ１を放電することができるので、入力電流を流すことができる。よって、昇圧チョッパ回路を有する力率改善回路３Ａにおいて、入力電圧のゼロクロス付近での波形歪の発生を抑制することができる。
【００６４】
＜第３実施形態＞
［スイッチング電源ＣＣの構成］
図５は、本発明の第３実施形態に係るスイッチング電源ＣＣの回路図である。スイッチング電源ＣＣは、図１に示した本発明の第１実施形態に係るスイッチング電源ＡＡとは、制御回路１の代わりに制御回路１Ｂを備える点で異なる。スイッチング電源ＣＣにおいて、スイッチング電源ＡＡと同一の構成要件については、同一符号を付し、その説明を省略する。
【００６５】
スイッチング電源ＣＣは、図１のスイッチング電源ＡＡと同様に、制御回路１Ｂの端子Ｐ２からスイッチング制御信号を出力させ、このスイッチング制御信号によりスイッチ素子Ｑ１をスイッチング制御して、スイッチング電源ＣＣの力率の改善を行う。
【００６６】
図６は、制御回路１Ｂの回路図である。制御回路１Ｂは、図２に示した本発明の第１実施形態に係る制御回路１とは、力率改善制御回路１０の代わりに力率改善制御回路１０Ｂを備える点で異なる。力率改善制御回路１０Ｂは、力率改善制御回路１０とは、補償値変更部１３および最大オン幅制限部１４を備える点で異なる。
【００６７】
補償値変更部１３には、エラーアンプＥＡ１の出力端子が接続される。補償値変更部１３は、エラーアンプＥＡ１の出力電圧に応じて、すなわち力率改善回路３の出力電圧に応じて、直流電源Ｖｒｅｆ２の正極の電圧を補正する。これによれば、スイッチ素子Ｑ１がオン状態からオフ状態に切り替わるのを禁止するか否かを決定するためにスイッチ素子Ｑ１に流れる電流と比較する閾値が、力率改善回路３の出力電圧に応じて補正されることになる。
【００６８】
最大オン幅制限部１４には、フリップフロップＦＦ１の出力端子と、フリップフロップＦＦ１の第２のリセット端子と、が接続される。最大オン幅制限部１４は、フリップフロップＦＦ１の出力電圧が予め定められた時間に亘ってＨレベルであれば、フリップフロップＦＦ１の第２のリセット端子に予め定められた時間だけＨレベル電圧を出力する。これによれば、スイッチ素子Ｑ１のオン幅が予め定められた幅になると、フリップフロップＦＦ１がリセットされて、スイッチ素子Ｑ１がオフ状態になる。
【００６９】
以上の構成を備える制御回路１Ｂは、制御回路１と同様に、マルチプライヤ１１および比較器ＣＭＰ１により、力率改善回路３の入力電圧および出力電圧と、スイッチ素子Ｑ１に流れる電流と、に基づいて、スイッチ素子Ｑ１のスイッチングを制御する。また、制御回路１Ｂは、制御回路１と同様に、比較器ＣＭＰ２と直流電源Ｖｒｅｆ２と論理積ＡＮＤ１とにより、スイッチ素子Ｑ１に流れた電流が閾値未満である期間では、比較器ＣＭＰ１から出力される電圧にかかわらず、フリップフロップＦＦ１のリセット端子にＨレベル電圧を入力して、スイッチ素子Ｑ１がオン状態からオフ状態に切り替わるのを禁止する。また、制御回路１Ｂは、補償値変更部１３により、上述の閾値を力率改善回路３の出力電圧に応じて補正するとともに、最大オン幅制限部１４により、スイッチ素子Ｑ１のオン幅の最大値を定める。
【００７０】
以上の制御回路１Ｂによれば、制御回路１が奏することのできる上述の効果に加えて、以下の効果を奏することができる。
【００７１】
制御回路１Ｂは、スイッチ素子Ｑ１がオン状態からオフ状態に切り替わるのを禁止するか否かを決定するためにスイッチ素子Ｑ１に流れる電流と比較する閾値を、力率改善回路３の出力電圧に応じて補正することができる。なお、入力電圧のゼロクロス付近での波形歪の発生を抑制するために、上述のようにスイッチ素子Ｑ１に流れる電流の最小値を制限しているが、この最小値の最適値は、負荷電力に応じて異なる。このため、上述のように力率改善回路３の出力電圧に応じて閾値を補正すれば、負荷変化に合わせた適切な波形歪の対策が可能となる。
【００７２】
＜第４実施形態＞
［スイッチング電源ＤＤの構成］
図７は、本発明の第４実施形態に係るスイッチング電源ＤＤの回路図である。スイッチング電源ＤＤは、図３に示した本発明の第２実施形態に係るスイッチング電源ＢＢとは、制御回路１Ａの代わりに制御回路１Ｃを備える点で異なる。スイッチング電源ＤＤにおいて、スイッチング電源ＢＢと同一の構成要件については、同一符号を付し、その説明を省略する。
【００７３】
スイッチング電源ＤＤは、図３のスイッチング電源ＢＢと同様に、制御回路１Ｃの端子Ｐ２からスイッチング制御信号を出力させ、このスイッチング制御信号によりスイッチ素子Ｑ１をスイッチング制御して、スイッチング電源ＤＤの力率の改善を行う。
【００７４】
図８は、制御回路１Ｃの回路図である。制御回路１Ｃは、図４に示した本発明の第２実施形態に係る制御回路１Ａとは、力率改善制御回路１０Ａの代わりに力率改善制御回路１０Ｃを備える点で異なる。力率改善制御回路１０Ｃは、力率改善制御回路１０Ａとは、補償値変更部１３および最大オン幅制限部１４を備える点で異なる。
【００７５】
補償値変更部１３には、エラーアンプＥＡ１の出力端子が接続される。補償値変更部１３は、エラーアンプＥＡ１の出力電圧に応じて、すなわち力率改善回路３Ａの出力電圧に応じて、直流電源Ｖｒｅｆ２の正極の電圧を補正する。これによれば、スイッチ素子Ｑ１がオン状態からオフ状態に切り替わるのを禁止するか否かを決定するためにスイッチ素子Ｑ１に流れる電流と比較する閾値が、力率改善回路３Ａの出力電圧に応じて補正されることになる。
【００７６】
最大オン幅制限部１４には、フリップフロップＦＦ１の出力端子と、フリップフロップＦＦ１の第２のリセット端子と、が接続される。最大オン幅制限部１４は、フリップフロップＦＦ１の出力電圧が予め定められた時間に亘ってＨレベルであれば、フリップフロップＦＦ１の第２のリセット端子に予め定められた時間だけＨレベル電圧を出力する。これによれば、スイッチ素子Ｑ１のオン幅が予め定められた幅になると、フリップフロップＦＦ１がリセットされて、スイッチ素子Ｑ１がオフ状態になる。
【００７７】
以上の構成を備える制御回路１Ｃは、制御回路１Ａと同様に、オン幅制御部１２により、エラーアンプＥＡ１の出力電圧に基づいて、すなわち力率改善回路３Ａの出力電圧に基づいて、スイッチ素子Ｑ１のオン幅を制御する。また、制御回路１Ａと同様に、比較器ＣＭＰ２と直流電源Ｖｒｅｆ２と論理積ＡＮＤ１とにより、スイッチ素子Ｑ１に流れた電流が閾値未満である期間では、オン幅制御部１２から出力される電圧にかかわらず、フリップフロップＦＦ１のリセット端子にＬレベル電圧を入力して、スイッチ素子Ｑ１がオン状態からオフ状態に切り替わるのを禁止する。また、制御回路１Ｃは、補償値変更部１３により、上述の閾値を力率改善回路３Ａの出力電圧に応じて補正するとともに、最大オン幅制限部１４により、スイッチ素子Ｑ１のオン幅の最大値を定める。
【００７８】
以上の制御回路１Ｃによれば、制御回路１Ａが奏することのできる上述の効果に加えて、以下の効果を奏することができる。
【００７９】
制御回路１Ｃは、スイッチ素子Ｑ１がオン状態からオフ状態に切り替わるのを禁止するか否かを決定するためにスイッチ素子Ｑ１に流れる電流と比較する閾値を、力率改善回路３Ａの出力電圧に応じて補正することができる。なお、入力電圧のゼロクロス付近での波形歪の発生を抑制するために上述のようにスイッチ素子Ｑ１に流れる電流の最小値を制限しているが、この最小値の最適値は、負荷電力に応じて異なる。このため、上述のように力率改善回路３Ａの出力電圧に応じて閾値を補正すれば、負荷変化に合わせた適切な波形歪の対策が可能となる。
【００８０】
＜第５実施形態＞
［スイッチング電源ＥＥの構成］
図９は、本発明の第５実施形態に係るスイッチング電源ＥＥの回路図である。スイッチング電源ＥＥは、図５に示した本発明の第３実施形態に係るスイッチング電源ＣＣとは、制御回路１Ｂの代わりに制御回路１Ｄを備える点で異なる。スイッチング電源ＥＥにおいて、スイッチング電源ＣＣと同一の構成要件については、同一符号を付し、その説明を省略する。
【００８１】
スイッチング電源ＥＥは、図５のスイッチング電源ＣＣと同様に、制御回路１Ｄの端子Ｐ２からスイッチング制御信号を出力させ、このスイッチング制御信号によりスイッチ素子Ｑ１をスイッチング制御して、スイッチング電源ＥＥの力率の改善を行う。
【００８２】
図１０は、制御回路１Ｄの回路図である。制御回路１Ｄは、図６に示した本発明の第３実施形態に係る制御回路１Ｂとは、力率改善制御回路１０Ｂの代わりに力率改善制御回路１０Ｄを備える点で異なる。力率改善制御回路１０Ｄは、力率改善制御回路１０Ｂとは、入力電圧検出部１５を備える点と、エラーアンプＥＡ１の出力端子の代わりに入力電圧検出部１５に補償値変更部１３が接続される点と、で異なる。
【００８３】
入力電圧検出部１５には、端子Ｐ１と、補償値変更部１３と、が接続される。入力電圧検出部１５は、端子Ｐ１を介して入力される力率改善回路３の入力電圧に応じた電圧から、力率改善回路３の入力電圧を検出し、検出結果を補償値変更部１３に出力する。
【００８４】
なお、第１の出力端子ＯＵＴ２および第２の出力端子ＯＵＴ３の間から出力される電圧は、整流回路２により全波整流されてはいるが、平滑化されてはいない。このため、交流電源Ｖｉｎから入力された入力電圧の半周期の期間以上に亘ってこの入力電圧を検出しないと、力率改善回路３の入力電圧を適切に検出できない。そこで、入力電圧検出部１５は、交流電源Ｖｉｎからの入力電圧の半周期の期間以上に亘って、端子Ｐ１を介して入力される力率改善回路３の入力電圧に応じた電圧が予め定められた設定電圧以上であるか否かにより、力率改善回路３の入力電圧を検出する。
【００８５】
補償値変更部１３は、入力電圧検出部１５による検出結果に応じて、直流電源Ｖｒｅｆ２の正極の電圧を補正する。これによれば、スイッチ素子Ｑ１がオン状態からオフ状態に切り替わるのを禁止するか否かを決定するためにスイッチ素子Ｑ１に流れる電流と比較する閾値が、力率改善回路３の入力電圧に応じて補正されることになる。
【００８６】
なお、補償値変更部１３による上述の補正は、例えば、力率改善回路３の入力電圧に基づいて、交流電源Ｖｉｎが１００Ｖ系入力であるのか２００Ｖ系入力であるのかを判別し、判別結果に応じて補正値を切り替えるものとしてもよい。また、入力電圧が大きくなるに従って補正値を大きく設定してもよい。
【００８７】
以上の構成を備える制御回路１Ｄは、制御回路１と同様に、マルチプライヤ１１および比較器ＣＭＰ１により、力率改善回路３の入力電圧および出力電圧と、スイッチ素子Ｑ１に流れる電流と、に基づいて、スイッチ素子Ｑ１のスイッチングを制御する。また、制御回路１Ｄは、制御回路１と同様に、比較器ＣＭＰ２と直流電源Ｖｒｅｆ２と論理積ＡＮＤ１とにより、スイッチ素子Ｑ１に流れた電流が閾値未満である期間では、比較器ＣＭＰ１から出力される電圧にかかわらず、フリップフロップＦＦ１のリセット端子にＬレベル電圧を入力して、スイッチ素子Ｑ１がオン状態からオフ状態に切り替わるのを禁止する。また、制御回路１Ｄは、制御回路１Ｂと同様に、最大オン幅制限部１４により、スイッチ素子Ｑ１のオン幅の最大値を定める。また、制御回路１Ｄは、補償値変更部１３および入力電圧検出部１５により、上述の閾値を、力率改善回路３の入力電圧に応じて補正する。
【００８８】
以上の制御回路１Ｄによれば、制御回路１が奏することのできる上述の効果に加えて、以下の効果を奏することができる。
【００８９】
制御回路１Ｄは、スイッチ素子Ｑ１がオン状態からオフ状態に切り替わるのを禁止するか否かを決定するためにスイッチ素子Ｑ１に流れる電流と比較する閾値を、力率改善回路３の入力電圧に応じて補正することができる。なお、入力電圧のゼロクロス付近での波形歪の発生を抑制するために上述のようにスイッチ素子Ｑ１に流れる電流の最小値を制限しているが、この最小値の最適値は、負荷電力だけでなく入力電圧に応じても異なる。このため、上述のように力率改善回路３の入力電圧に応じて閾値を補正すれば、入力電圧に合わせた適切な波形歪の対策が可能となる。
【００９０】
＜第６実施形態＞
［スイッチング電源ＦＦの構成］
図１１は、本発明の第６実施形態に係るスイッチング電源ＦＦの回路図である。スイッチング電源ＦＦは、図７に示した本発明の第４実施形態に係るスイッチング電源ＤＤとは、制御回路１Ｃの代わりに制御回路１Ｅを備える点と、力率改善回路３Ａの代わりに力率改善回路３を備える点と、で異なる。スイッチング電源ＦＦにおいて、スイッチング電源ＤＤと同一の構成要件については、同一符号を付し、その説明を省略する。
【００９１】
力率改善回路３は、図７の力率改善回路３Ａとは、抵抗Ｒ１、Ｒ２を備える点で異なる。抵抗Ｒ１、Ｒ２は、直列接続され、これら抵抗Ｒ１、Ｒ２を直列接続したものは、整流回路２の第１の出力端子ＯＵＴ２と第２の出力端子ＯＵＴ３とを接続する。また、抵抗Ｒ１と抵抗Ｒ２との接続点には、制御回路１Ｅの端子Ｐ１が接続される。
【００９２】
以上の構成を備えるスイッチング電源ＦＦは、図７のスイッチング電源ＤＤと同様に、制御回路１Ｅの端子Ｐ２からスイッチング制御信号を出力させ、このスイッチング制御信号によりスイッチ素子Ｑ１をスイッチング制御して、スイッチング電源ＦＦの力率の改善を行う。
【００９３】
図１２は、制御回路１Ｅの回路図である。制御回路１Ｅは、図８に示した本発明の第４実施形態に係る制御回路１Ｃとは、力率改善制御回路１０Ｃの代わりに力率改善制御回路１０Ｅを備える点で異なる。力率改善制御回路１０Ｅは、力率改善制御回路１０Ｃとは、入力電圧検出部１５を備える点と、エラーアンプＥＡ１の出力端子の代わりに入力電圧検出部１５に補償値変更部１３が接続される点と、で異なる。
【００９４】
入力電圧検出部１５には、端子Ｐ１と、補償値変更部１３と、が接続される。入力電圧検出部１５は、端子Ｐ１を介して入力される力率改善回路３の入力電圧に応じた電圧から、力率改善回路３の入力電圧を検出し、検出結果を補償値変更部１３に出力する。
【００９５】
なお、第１の出力端子ＯＵＴ２および第２の出力端子ＯＵＴ３の間から出力される電圧は、整流回路２により全波整流されてはいるが、平滑化されてはいない。このため、交流電源Ｖｉｎから入力された入力電圧の半周期の期間以上に亘ってこの入力電圧を検出しないと、力率改善回路３の入力電圧を適切に検出できない。そこで、入力電圧検出部１５は、交流電源Ｖｉｎからの入力電圧の半周期の期間以上に亘って、端子Ｐ１を介して入力される力率改善回路３の入力電圧に応じた電圧が予め定められた設定電圧以上であるか否かにより、力率改善回路３の入力電圧を検出する。
【００９６】
補償値変更部１３は、入力電圧検出部１５による検出結果に応じて、直流電源Ｖｒｅｆ２の正極の電圧を補正する。これによれば、スイッチ素子Ｑ１がオン状態からオフ状態に切り替わるのを禁止するか否かを決定するためにスイッチ素子Ｑ１に流れる電流と比較する閾値が、力率改善回路３の入力電圧に応じて補正されることになる。
【００９７】
以上の構成を備える制御回路１Ｅは、制御回路１Ａと同様に、オン幅制御部１２により、エラーアンプＥＡ１の出力電圧に基づいて、すなわち力率改善回路３の出力電圧に基づいて、スイッチ素子Ｑ１のオン幅を制御する。また、制御回路１Ｅは、制御回路１Ｃと同様に、最大オン幅制限部１４により、スイッチ素子Ｑ１のオン幅の最大値を定める。また、制御回路１Ｅは、制御回路１Ａと同様に、比較器ＣＭＰ２と直流電源Ｖｒｅｆ２と論理積ＡＮＤ１とにより、スイッチ素子Ｑ１に流れた電流が閾値未満である期間では、オン幅制御部１２から出力される電圧にかかわらず、フリップフロップＦＦ１のリセット端子にＬレベル電圧を入力して、スイッチ素子Ｑ１がオン状態からオフ状態に切り替わるのを禁止する。また、制御回路１Ｅは、補償値変更部１３および入力電圧検出部１５により、上述の閾値を、力率改善回路３の入力電圧に応じて補正する。
【００９８】
以上の制御回路１Ｅによれば、制御回路１が奏することのできる上述の効果に加えて、以下の効果を奏することができる。
【００９９】
制御回路１Ｅは、スイッチ素子Ｑ１がオン状態からオフ状態に切り替わるのを禁止するか否かを決定するためにスイッチ素子Ｑ１に流れる電流と比較する閾値を、力率改善回路３の入力電圧に応じて補正することができる。なお、入力電圧のゼロクロス付近での波形歪の発生を抑制するために上述のようにスイッチ素子Ｑ１に流れる電流の最小値を制限しているが、この最小値の最適値は、負荷電力だけでなく入力電圧に応じても異なる。このため、上述のように力率改善回路３の入力電圧に応じて閾値を補正すれば、入力電圧に合わせた適切な波形歪の対策が可能となる。
【０１００】
＜第７実施形態＞
［スイッチング電源ＧＧの構成］
図１３は、本発明の第７実施形態に係るスイッチング電源ＧＧの回路図である。スイッチング電源ＧＧは、図１に示した本発明の第１実施形態に係るスイッチング電源ＡＡとは、力率改善回路３の代わりに力率改善回路３Ｂを備える点で異なる。スイッチング電源ＧＧにおいて、スイッチング電源ＡＡと同一の構成要件については、同一符号を付し、その説明を省略する。
【０１０１】
力率改善回路３Ｂは、図１の力率改善回路３とは、抵抗Ｒ９および直流電源Ｖｒｅｆ３を備える点で異なる。直流電源Ｖｒｅｆ３の負極には、基準電位源ＧＮＤが接続される。直流電源Ｖｒｅｆ３の正極には、抵抗Ｒ９を介して制御回路１の端子Ｐ３が接続される。
【０１０２】
以上の構成を備えるスイッチング電源ＧＧは、図１のスイッチング電源ＡＡと同様に、制御回路１の端子Ｐ２からスイッチング制御信号を出力させ、このスイッチング制御信号によりスイッチ素子Ｑ１をスイッチング制御して、スイッチング電源ＧＧの力率の改善を行う。また、スイッチング電源ＧＧは、制御回路１の外部において、制御回路１の端子Ｐ３に抵抗Ｒ９および直流電源Ｖｒｅｆ３を接続する。このため、端子Ｐ３に入力される電圧は、抵抗Ｒ７、Ｒ９の抵抗比や直流電源Ｖｒｅｆ３の正極の電圧に応じて変化するので、抵抗Ｒ９の抵抗値や、直流電源Ｖｒｅｆ３の正極の電圧を調整することで、端子Ｐ３に入力される電圧を補正することができる。したがって、制御回路１がＩＣ（Integrated  Circuit）化されていても、抵抗Ｒ９の抵抗値や、直流電源Ｖｒｅｆ３の正極の電圧を調整することで、端子Ｐ３を介して比較器ＣＭＰ１、ＣＭＰ２の非反転入力端子に入力される電圧を、制御回路１に端子を新たに追加することなく補正することができる。
【０１０３】
＜第８実施形態＞
［スイッチング電源ＨＨの構成］
図１４は、本発明の第８実施形態に係るスイッチング電源ＨＨの回路図である。スイッチング電源ＨＨは、図３に示した本発明の第２実施形態に係るスイッチング電源ＢＢとは、力率改善回路３Ａの代わりに力率改善回路３Ｃを備える点で異なる。スイッチング電源ＨＨにおいて、スイッチング電源ＢＢと同一の構成要件については、同一符号を付し、その説明を省略する。
【０１０４】
力率改善回路３Ｃは、図３の力率改善回路３Ａとは、抵抗Ｒ９および直流電源Ｖｒｅｆ３を備える点で異なる。直流電源Ｖｒｅｆ３の負極には、基準電位源ＧＮＤが接続される。直流電源Ｖｒｅｆ３の正極には、抵抗Ｒ９を介して制御回路１Ａの端子Ｐ３が接続される。
【０１０５】
以上の構成を備えるスイッチング電源ＨＨは、図３のスイッチング電源ＢＢと同様に、制御回路１Ａの端子Ｐ２からスイッチング制御信号を出力させ、このスイッチング制御信号によりスイッチ素子Ｑ１をスイッチング制御して、スイッチング電源ＨＨの力率の改善を行う。また、スイッチング電源ＨＨは、制御回路１Ａの外部において、制御回路１Ａの端子Ｐ３に抵抗Ｒ９および直流電源Ｖｒｅｆ３を接続する。このため、端子Ｐ３に入力される電圧は、抵抗Ｒ７、Ｒ９の抵抗比や直流電源Ｖｒｅｆ３の正極の電圧に応じて変化するので、抵抗Ｒ９の抵抗値や、直流電源Ｖｒｅｆ３の正極の電圧を調整することで、端子Ｐ３に入力される電圧を補正することができる。したがって、制御回路１ＡがＩＣ化されていても、抵抗Ｒ９の抵抗値や、直流電源Ｖｒｅｆ３の正極の電圧を調整することで、端子Ｐ３を介して比較器ＣＭＰ２の非反転入力端子に入力される電圧を、制御回路１Ａに端子を新たに追加することなく補正することができる。
【０１０６】
本発明は、上述の実施形態に限定されるものではなく、この発明の要旨を逸脱しない範囲内で様々な変形や応用が可能である。
【符号の説明】
【０１０７】
ＡＡ、ＢＢ、ＣＣ、ＤＤ、ＥＥ、ＦＦ、ＧＧ、ＨＨ；スイッチング電源
Ｑ１；スイッチ素子
１、１Ａ、１Ｂ、１Ｃ、１Ｄ、１Ｅ；制御回路
３、３Ａ、３Ｂ、３Ｃ；力率改善回路
１０、１０Ａ、１０Ｂ、１０Ｃ、１０Ｄ、１０Ｅ；力率改善制御回路
【図１】
2016100958.tif 000003
【図２】
2016100958.tif 000004
【図３】
2016100958.tif 000005
【図４】
2016100958.tif 000006
【図５】
2016100958.tif 000007
【図６】
2016100958.tif 000008
【図７】
2016100958.tif 000009
【図８】
2016100958.tif 000010
【図９】
2016100958.tif 000011
【図１０】
2016100958.tif 000012
【図１１】
2016100958.tif 000013
【図１２】
2016100958.tif 000014
【図１３】
2016100958.tif 000015
【図１４】
2016100958.tif 000016